【手続補正書】
【提出日】平成25年10月15日(2013.10.15)
【手続補正１】
【補正対象書類名】特許請求の範囲
【補正対象項目名】全文
【補正方法】変更
【補正の内容】
【特許請求の範囲】
【請求項１】
通信システムにおいて第１のステーションで存在するネットワークをスキャニングする方法であって、前記方法は、
第２のステーションから、利用可能なチャンネルのための情報を含むホワイトスペースマップ（ＷＳＭ）及び前記利用可能なチャンネルのそれぞれに対して許容された最大伝送電力を受信することであって、前記ＷＳＭは、データベースからの情報に基づいて前記第２のステーションによって生成される、ことと、
前記受信されたＷＳＭ内で識別される利用可能なチャンネル上の前記存在するネットワークをスキャニングすることと
を含む、方法。
【請求項２】
前記スキャニングすることは、前記存在するネットワークの中に、前記第１のステーションが接続され得るネットワークがあるか否かを決定するプロセスである、請求項１に記載の方法。
【請求項３】
前記第１のステーションは、依存的ステーションであり、前記第２のステーションは、活性化ステーションであり、前記依存的ステーションは、前記依存的ステーションの動作を活性化する前記活性化ステーションから前記利用可能なチャンネルのための情報を受信するステーションである、請求項１に記載の方法。
【請求項４】
前記第１のステーションは、前記ＷＳＭによって識別される利用可能なチャンネル内のみで動作する、請求項１に記載の方法。
【請求項５】
前記ＷＳＭは、ビーコンフレーム、プローブ応答フレーム、及びホワイトスペースマップ放送フレームのうちの一つを通して受信される、請求項１に記載の方法。
【請求項６】
前記存在するネットワークをスキャニングすることは、
前記受信されたＷＳＭによって識別された利用可能なチャンネルの中の特定チャンネル上で基本的サービスセット（ＢＳＳ）の応答ステーションにプローブ要請フレームを伝送することと、
前記特定のチャンネル上で前記応答ステーションからプローブ応答フレームを受信することと
を含む、請求項１に記載の方法。
【請求項７】
前記応答ステーションは、ＡＰステーションであり、前記プローブ応答フレームは、アップデートされたＷＳＭを含む、請求項６に記載の方法。
【請求項８】
前記存在するネットワークをスキャニングすることは、
前記受信されたＷＳＭによって識別された利用可能なチャンネルの中の特定チャンネル上で基本的サービスセット（ＢＳＳ）のステーションからビーコンフレームをリスニングすることを含む、請求項１に記載の方法。
【請求項９】
前記ＢＳＳのステーションは、ＡＰステーションであり、前記ビーコンフレームは、アップデートされたＷＳＭを含む、請求項８に記載の方法。
【請求項１０】
前記依存的ステーションにおいて前記活性化ステーション又は依存的ＡＰステーションからアップデートされたＷＳＭを受信することをさらに含み、
前記依存的ステーションは、前記アップデートされたＷＳＭ内に識別される利用可能なチャンネル上で前記存在するネットワークをスキャニングする、請求項３に記載の方法。
【請求項１１】
通信システムにおいて存在するネットワークをスキャニングする装置であって、前記装置は、
第２のステーションから、利用可能なチャンネルのための情報を含むホワイトスペースマップ（ＷＳＭ）及び前記利用可能なチャンネルのそれぞれ対して許容された最大伝送電力を受信するように構成された送受信部であって、前記ＷＳＭは、データベースからの情報に基づいて前記第２のステーションによって生成される、送受信部と、
前記受信されたＷＳＭ内で識別される利用可能なチャンネル上の前記存在するネットワークをスキャニングすることを制御するように構成されたプロセッサと
を含む、装置。
【請求項１２】
前記スキャニングすることは、前記存在するネットワークの中に、前記第１のステーションが接続され得るネットワークがあるか否かを決定するプロセスである、請求項１１に記載の装置。
【請求項１３】
前記装置は、依存的ステーションとして動作するように構成され、前記第２のステーションは、活性化ステーションであり、前記依存的ステーションは、前記依存的ステーションの動作を活性化する前記活性化ステーションから前記利用可能なチャンネルのための情報を受信するステーションである、請求項１１に記載の装置。
【請求項１４】
前記プロセッサは、前記ＷＳＭによって識別される利用可能なチャンネル内のみで動作するように前記装置を制御するように構成されている、請求項１１に記載の装置。
【請求項１５】
前記ＷＳＭは、ビーコンフレーム、プローブ応答フレーム、及びホワイトスペースマップ放送フレームのうちの一つを通して受信される、請求項１１に記載の装置。
【請求項１６】
前記プロセッサは、前記受信されたＷＳＭによって識別された利用可能なチャンネルの中の特定チャンネル上で基本的サービスセット（ＢＳＳ）の応答ステーションにプローブ要請フレームを伝送することと、前記特定チャンネル上で前記応答ステーションからプローブ応答フレームを受信することとを行うように前記送受信部を制御するように構成されている、請求項１１に記載の装置。
【請求項１７】
前記応答ステーションは、ＡＰステーションであり、前記プローブ応答フレームは、アップデートされたＷＳＭを含む、請求項１６に記載の装置。
【請求項１８】
前記プロセッサは、前記受信されたＷＳＭによって識別された利用可能なチャンネルの中の特定チャンネル上で基本的サービスセット（ＢＳＳ）のステーションからビーコンフレームをリスニングするように前記送受信部を制御するように構成されている、請求項１１に記載の装置。
【請求項１９】
前記ＢＳＳのステーションは、ＡＰステーションであり、前記ビーコンフレームは、アップデートされたＷＳＭを含む、請求項１８に記載の装置。
【請求項２０】
前記送受信部が前記活性化ステーションからアップデートされたＷＳＭを受信する場合、前記プロセッサは、前記アップデートされたＷＳＭ内に識別される利用可能なチャンネル上で前記存在するネットワークをスキャニングするようにさらに構成されている、請求項１３に記載の装置。
【手続補正２】
【補正対象書類名】明細書
【補正対象項目名】００２７
【補正方法】変更
【補正の内容】
【００２７】
前記送受信部が前記活性化ステーション又は前記依存的ＡＰステーションから前記のアップデートされたＷＳＭを受信する場合、前記プロセッサは、アップデートされたＷＳＭで識別される前記利用可能なチャンネル上で前記の存在するネットワークをスキャンするように構成することができる。
本願明細書は、例えば、以下の項目も提供する。
（項目１）
免許機器及び無免許機器が動作するように許容される規制ドメインで免許機器として動作するステーションで存在するネットワークをスキャニングする方法において、
無線ＬＡＮ動作をする無免許機器のための利用可能なチャンネルのための情報を含むホワイトスペースマップ（ｗｈｉｔｅ  ｓｐａｃｅ  ｍａｐ、ＷＳＭ）及び活性化ステーションから前記利用可能なチャンネルでそれぞれ許容された最大伝送電力を受信すること−前記活性化ステーションは、自分の地理的位置識別による位置及び規制データベース接続能力を使用して前記利用可能なチャンネルを決定するステーションである−；及び
前記の受信されたＷＳＭ内で識別される利用可能なチャンネル上の前記の存在するネットワークをスキャニングすることを含むネットワークスキャニング方法。
（項目２）
前記の存在するネットワークをスキャニングするステーションは依存的ステーションで、前記依存的ステーションは、前記活性化ステーション又は前記依存的ステーションの動作を活性化する依存的アクセスポイントステーション（ｄｅｐｅｎｄｅｎｔ  Ａｃｃｅｓｓ  Ｐｏｉｎｔ、ＡＰ）から利用可能なチャンネル情報を受信するステーションである、項目１に記載のネットワークスキャニング方法。
（項目３）
前記の存在するネットワークをスキャニングするステーションは、前記ＷＳＭによって識別される前記利用可能なチャンネル内のみで動作する、項目１に記載のネットワークスキャニング方法。
（項目４）
前記ＷＳＭは、ビーコンフレーム、プローブ応答フレーム、及びホワイトスペースマップ放送フレームのうち一つを通して受信される、項目１に記載のネットワークスキャニング方法。
（項目５）
前記の存在するネットワークのスキャニングは、
前記の受信されたＷＳＭによって確認された利用可能なチャンネル間の特定チャンネル上で基本的サービスセット（ｂａｓｉｃ  ｓｅｒｖｉｃｅ  ｓｅｔ、ＢＳＳ）の応答ステーションにプローブ応答フレームを伝送すること；及び
前記特定のチャンネル上で前記応答ステーションからプローブ応答フレームを受信することを含む、項目１に記載のネットワークスキャニング方法。
（項目６）
前記応答ステーションはＡＰステーションで、前記プローブ応答フレームは前記ＷＳＭを構成する、項目５に記載のネットワークスキャニング方法。
（項目７）
前記の存在するネットワークのスキャニングは、
前記の受信されたＷＳＭによって特定された利用可能なチャンネル間の特定チャンネル上で基本的サービスセット（ｂａｓｉｃ  ｓｅｒｖｉｃｅ  ｓｅｔ、ＢＳＳ）のステーションからビーコンフレームをリスニングする、項目１に記載のネットワークスキャニング方法。
（項目８）
前記ＢＳＳのステーションはＡＰステーションで、前記ビーコンフレームは前記ＷＳＭを構成する、項目７に記載のネットワークスキャニング方法。
（項目９）
前記依存的ステーションが前記活性化ステーション又は前記依存的ＡＰステーションからアップデートされたＷＳＭを受信することを含み、
前記依存的ステーションは、前記のアップデートされたＷＳＭ内に識別される利用可能なチャンネル上で前記の存在するネットワークをスキャンする、項目２に記載のネットワークスキャニング方法。
（項目１０）
免許機器及び無免許機器が動作するように許容される規制ドメインで無免許機器として動作するステーションで存在するネットワークをスキャニングする装置において、
無線ＬＡＮ動作をする無免許機器のための利用可能なチャンネルのための情報を含むホワイトスペースマップ（ｗｈｉｔｅ  ｓｐａｃｅ  ｍａｐ、ＷＳＭ）及び活性化ステーションから前記利用可能なチャンネルでそれぞれ許容された最大伝送電力を受信するように構成された送受信部−前記活性化ステーションは、自分の地理的位置識別による位置及び規制データベース接続能力を使用して前記利用可能なチャンネルを決定するステーションである−と、
前記の受信されたＷＳＭ内で識別される利用可能なチャンネル上の前記の存在するネットワークをスキャニングするように構成されたプロセッサと、を含む、ネットワークスキャニング装置。
（項目１１）
前記装置は依存的ステーションとして動作するように構成され、前記依存的ステーションは、前記活性化ステーション又は前記依存的ステーションの動作を活性化する依存的アクセスポイントステーション（ｄｅｐｅｎｄｅｎｔ  Ａｃｃｅｓｓ  Ｐｏｉｎｔ、ＡＰ）から利用可能なチャンネル情報を受信するステーションである、項目１０に記載のネットワークスキャニング装置。
（項目１２）
前記プロセッサは、前記ＷＳＭによって識別される前記利用可能なチャンネル内のみで動作するように制御する、項目１０に記載のネットワークスキャニング装置。
（項目１３）
前記ＷＳＭは、ビーコンフレーム、プローブ応答フレーム、及びホワイトスペースマップ放送フレームのうち一つを通して受信される、項目１０に記載のネットワークスキャニング装置。
（項目１４）
前記プロセッサは、前記の受信されたＷＳＭによって確認された利用可能なチャンネル間の特定チャンネル上で基本的サービスセット（ｂａｓｉｃ  ｓｅｒｖｉｃｅ  ｓｅｔ、ＢＳＳ）の応答ステーションにプローブ応答フレームを伝送し、前記特定チャンネル上で前記応答ステーションからプローブ応答フレームを受信するように送受信部を制御する、項目１０に記載のネットワークスキャニング装置。
（項目１５）
前記応答ステーションはＡＰステーションで、前記プローブ応答フレームは前記ＷＳＭを構成する、項目１４に記載のネットワークスキャニング装置。
（項目１６）
前記プロセッサは、
前記の受信されたＷＳＭによって特定された利用可能なチャンネル間の特定チャンネル上で基本的サービスセット（ｂａｓｉｃ  ｓｅｒｖｉｃｅ  ｓｅｔ、ＢＳＳ）のステーションからビーコンフレームをリスニングするように送受信部を制御する、項目１０に記載のネットワークスキャニング装置。
（項目１７）
前記ＢＳＳのステーションはＡＰステーションで、前記ビーコンフレームは前記ＷＳＭを構成する、項目１６に記載のネットワークスキャニング装置。
（項目１８）
前記送受信部が前記活性化ステーション又は前記依存的ＡＰステーションから前記のアップデートされたＷＳＭを受信する場合、前記プロセッサは、アップデートされたＷＳＭで識別される前記利用可能なチャンネル上で前記の存在するネットワークをスキャンするように構成される、項目１１に記載のネットワークスキャニング装置。